(57)【要約】  組み合わせられた容器用の複合蓋は消費者による握持と操作、並びに自動化された設備による蓋の取り扱いを容易にするように構成される。蓋は、内側の蓋キャップ、及び蓋キャップの少なくもスカート部分の周囲に適用された外側握持層よりなる。特に、蓋キャップは、少なくも外側握持層の表面に突き出る外向きの突起要素を少なくも１個持つことができる。本発明の一態様においては、それぞれの縁に沿って外側握持層の表面より先に突き出る環状要素の形式の複数の突起要素が設けられ、これにより自動化された設備により取り扱いを容易にしている。本発明の別の態様においては、突起部分は、握持及び視覚アールを高めるために外側握持層を通って延びる画像要素からなる。
2010502529.tif 000002
【特許請求の範囲】
【請求項１】
頂部壁部分と環状で雌ネジの設けられ下に垂れているスカート部分とを有する蓋キャップ；及び
前記スカート部分の少なくも外周に適用された外側握持層を備え、
前記蓋キャップが、前記外側握持層の少なくも表面に延びる前記キャップの少なくも１個の突起部分を有している複合蓋。
【請求項２】
前記突起部分が、前記スカート部分から半径方向外向きに突き出ている請求項１による複合蓋。
【請求項３】
前記突起部分は環状であり、そして前記外側握持層の表面より先に延びている請求項２による複合蓋。
【請求項４】
前記突起部分が、前記スカート部分の自由端から外向きに突き出ている請求項３による複合蓋。
【請求項５】
前記突起部分が、前記外側握持層の表面より先に前記頂部壁部分から上向きに突き出ている請求項１による複合蓋。
【請求項６】
前記突起部分が環状である、請求項５による複合蓋。
【請求項７】
前記蓋キャップが、前記突起部分とは別のものであって環状でかつ前記外側握持層の表面より先に前記頂部壁部分から上向きに突き出ている部分を備える請求項３による複合蓋。
【請求項８】
前記突起部分が、前記外側握持層を通って突き出ている請求項１による複合蓋。
【請求項９】
前記突起部分が１個又はそれ以上の画像要素を備え、前記外側握持層が各画像要素の全側面と接触するように画像要素の各々が開口した形状を有する請求項８による複合蓋。
【請求項１０】
前記突起部分が１個又はそれ以上の画像要素を備え、各画像要素が前記蓋により定められる型分離線に直角に延びる側面を有する請求項８による複合蓋。
【請求項１１】
前記蓋キャップは、直径方向で向かい合った関係にありかつ各々が１個又はそれ以上の画像要素よりなる複数の前記突起部分を持つことができ、そして各突起部分の画像要素は前記蓋のそれぞれの四分円の中に位置決めされ、前記四分円の各々が前記蓋により定められる型の分割線に関して直角に位置決めされる請求項８による複合蓋。
【請求項１２】
前記スカート部分の内側の自由端が、取り扱い中に前記複合蓋と同様な別のものの外側握持層への損傷を避けるに十分な半径を定めている請求項１による複合蓋。
【請求項１３】
前記半径が約１．２７ｍｍ（０．０５０インチ）から約２．２９ｍｍ（０．０９０インチ）である請求項１２による複合蓋。
【請求項１４】
前記半径が約１．７８ｍｍ（０．０７０インチ）である請求項１３による複合蓋。
【請求項１５】
頂部壁部分及び環状で内側にネジの設けられ下に垂れているスカート部分を有する蓋キャップ；及び
前記スカート部分の少なくも外周に適用された外側握持層を備え、
前記蓋キャップが、少なくも前記外側握持層の表面に延びる複数の突起部分を有し、前記スカート部分の自由端から半径方向外向きに延びている環状突起部分、及び前記頂部壁部部から上向きに延びている別の環状突起部分を有し、前記突起部分は前記握持層のそれぞれの縁に沿って位置決めされて複合蓋の取り扱いを容易にしている複合蓋。
【請求項１６】
前記蓋キャップが、前記外側握持層を通って前記スカートの半径方向外向きに突き出る複数個の画像要素を有している請求項１５による複合蓋。
【請求項１７】
前記外側握持層が、前記画像要素の各々の側面のすべてと接触するように、前記画像要素の各が開かれた形状を有する請求項１６による複合蓋。
【請求項１８】
前記画像要素が第１及び第２のグループに配列され、各グループは前記蓋のそれぞれの四分円の中に位置決めされ、前記四分円の各１個が前記蓋により定められた金型分割線に直角に位置決めされる請求項１３による複合蓋。
【請求項１９】
前記画像要素の前記表面が、前記金型分割線と直角に延びる請求項１８による複合蓋。
【請求項２０】
取り扱い中に前記複合蓋と同様な別のものの外側握持層への損傷を避けるために、前記スカート部分の内側自由端が約１．２７ｍｍ（０．０５０インチ）から約２．２９ｍｍ（０．０９０インチ）の半径を定めている請求項１５による複合蓋。
【請求項２１】
前記半径が約１．７８ｍｍ（０．０７０インチ）である請求項２０による複合蓋。
【発明の詳細な説明】
【技術分野】
【０００１】
本発明は、一般に成型プラスチック蓋に関し、より特別には雌ネジの設けられた蓋キャップ、及び組み合わせられた一体の外側握持層を備えた複合蓋であって、消費者による握持と操作とを向上させると同時に、自動化された設備による取り扱いが容易であり、かつ比較的柔軟な外側握持層への望ましくない損傷を避けるように構成された蓋に関する。外側握持層を通して突起している図形要素の形式で、強調された視覚的アピールが達成される。
【背景技術】
【０００２】
成型プラスチック蓋は、食料品及び飲料物のあらゆる方法の包装のために市場における広範囲の応用が見いだされている。かかる蓋は、典型的に、頂部の壁部分と下向きに伸びている環状のスカート部分とを有し全体として円筒形の形状を持つ。かかる蓋の密閉能力は、組み合わせられる容器と密閉結合するための封鎖用ライナー又は同様な構成要素を設けることにより向上させることができる。
【発明の概要】
【発明が解決しようとする課題】
【０００３】
当然ながら、かかる蓋の使用者による容易かつ便利な使用は最高の関心事であり、従って、成型プラスチック蓋は、使用者による握持と操作とを容易にするために、その外側に握持用リブ又は同様な部分を有することが普通である。しかし、消費者の使用を容易にするかかる蓋の特徴が、かかる製品の多面的な応用を強化すことが更に望ましい。
【課題を解決するための手段】
【０００４】
本発明は、消費者による握持及び操作を向上させるように構成された複合蓋の構築に受けられる。同時に、この蓋は自動化された設備による取り扱いを容易にするように構成され、更にかかる蓋の通常の取り扱い、貯蔵、及び輸送に伴って発生する可能性のある得る蓋への損傷を最小にするようにも構成される。
【０００５】
本発明は、消費者による蓋の強化された握持と操作とを容易にするために比較的柔軟なプラスチック材料製の一体の外側握持層を有する複合蓋に向けられる。外側握持層は、少なくも蓋のスカート部分の周りを取り巻いて伸び、これにより蓋が組み合わせられたネジ付き容器又は同等物からの蓋の取り外しを容易にしていることが注意される。蓋は、自動化された設備による複合蓋の取り扱いを容易にし同時に通常の包装作業、貯蔵、及び輸送に伴う蓋への損傷を避けるために特別に設けられた特徴を更に含むことにより、外側握持層を通して伸びる画像要素の提示を向上させるように構成されることに注意される。
【０００６】
図示された実施例により、この複合蓋は、頂部の壁部分とこれから下がりかつ雌ネジが設けられた環状のスカート部分とを有する成型された蓋キャップを備える。本発明により、蓋は、更に、蓋キャップのスカート部分の少なくも外周に適用された外側握持層を更に備える。蓋キャップ上にオーバーモールディングにより、又は本技術において知られるようなコインジェクションモールディングにより形成し得る外側握持層は、比較的柔軟なプラスチック材料から形成され、これにより消費者が簡単かつ容易に握持し操作できる周囲面を有する蓋を提供することが望ましい。
【０００７】
更に、本発明により、この複合蓋の蓋キャップは、少なくも外側握持層の表面に伸びる少なくも１個の突起部分を備える。本発明の一態様においては、この突起部分は、外側握持層を通って伸び、そして一般に外側握持層内に見ることができる１個又はそれ以上の画
像要素の形式で構成される。蓋キャップと外側握持層とを対比的な色彩で構成することにより画像要素の美的アピールが強化される。一般に外側握持層を通って延びるように画像要素を配置することにより、複合蓋の握持及び操作を更に容易にする。
【０００８】
本発明の別の態様においては、蓋キャップの突起部分が外側握持層より先に延び、これにより、突起部分が自動化設備による蓋の取り扱いを容易にするように作用することが望ましい。特に、外側握持層は、比較的高い摩擦係数又は「粘着性」を示し得るため、これが自動化設備による蓋の供給及び／又は輸送を妨げる可能性があり望ましくない。蓋キャップの突起部分は外側握持層より先に延びることにより取り扱い設備と組み合うための摺動面を提供し、同時に比較的柔軟な外側握持層が設備と組み合った場合に発生する可能性のある中断を避ける。更に、握持層の一体性及び外見が維持されて望ましい。
【０００９】
突起部分は、一形式においては、蓋キャップのスカート部分の自由端から外向きに突き出た環状の要素を備える。突起部分は、蓋キャップの頂部の壁部分から、同様に外側握持層の表面より先に上向きに突き出た環状要素の形式で提供することができる。環状の突起部分は、両形式で、即ちスカート部分及び頂部壁部分から一般に握持層のそれぞれの縁に沿って突き出た形式で設けられることが好ましい。
【００１０】
比較的柔軟な外側握持層への引っ掻き傷又は刻み傷のような望ましくない損傷を避けるために、この複合蓋は、取り扱い中における同様な別の複合蓋の外側握持層への損傷を避けるに十分な半径を定めるスカート部分の内側自由端半径を有することが好ましい。この半径は、約１．２７ｍｍ（０．０５０インチ）から約２．２９ｍｍ（０．０９０インチ）、最も好ましくは約１．７８ｍｍ（０．０７０インチ）で提供され配列されることが好ましい。
【００１１】
蓋により定められる金型分割線に関して好ましい形式で画像要素を構成し位置決めすることにより、スカート部分の外周に画像要素の形式の突起部分を含んだ本複合蓋の製造が容易になる。本技術に親しい者に認識されるであろうように、本発明の複合蓋の蓋キャップの外部は、二つ割り金型により効率的に製造することができ、蓋は、金型部分が組み合う金型分割線を定める。この蓋の画像要素の成型を容易にし、かつその視覚的アピールを向上させるために、画像要素の側面が金型分割線に直角に延びることが好ましい。
【００１２】
直径方向で両側に配置された第１及び第２のグループで画像要素を提供することにより製造は更に容易になる。画像要素の各グループが蓋のそれぞれの四分円の中に配置され、四分円の各は蓋により定められる金型分割線に関して直角に位置決めされることが好ましい。
【００１３】
本発明のその他の特徴及び利点は、以下の詳細な説明、添付図面、及び特許請求の範囲より容易に明らかとなるであろう。
【図面の簡単な説明】
【００１４】
【図１】本発明の原理を具体化した複合蓋の斜視図である。
【図２】本複合蓋の蓋キャップの斜視図である。
【図３】本発明の複合蓋の正面図である。
【図４】本蓋の蓋キャップの平面図である。
【図５】本蓋の部分的に断面にした正面図である。
【図６】本発明により構成された複合蓋の図式的な断面図である。
【発明を実施するための形態】
【００１５】
本発明は種々の形式の実施例を考えることができるが、ここでは、本開示は本発明の例
として考えられるべきであり、本発明をこの特別な実施例に限定することは意図しないということとして好ましい実施例を以下説明することとする。
【００１６】
本発明の原理を具体化した複合蓋１０が図解される図面を参照する。複合蓋１０は、成型プラスチックの蓋キャップ１２、及び蓋キャップ１０の少なくも外周に適用された比較的柔軟な材料の外側握持層１４を備える。蓋キャップ１２は、ポリプロピレン又はポリエチレンから効率的に形成され、一方、外側握持層１４は比較的柔軟な熱可塑性エラストマー材料より形成されることが好ましい。
【００１７】
蓋キャップ１２は、好ましくは１個の１部品構成のものであり、そして頂部の壁部分１６、及びこれから下がり雌ネジ２０を有するスカート部分１８を備える。
【００１８】
消費者による握持と操作とを強化するために、外側握持層１４は少なく一般にスカート部分１８の高さに沿って伸びることが好ましい。外側握持層１４は蓋キャップ１２と比べて比較的大きい摩擦係数を示すことが普通であるため、蓋キャップ１２は少なくも外側握持層１４の表面に伸びる少なくも１個の突起部分を備える。
【００１９】
図示の実施例においては、かかる突起要素が二つ設けられ、これらは外側握持層の表面より先に伸び、自動化された設備と接触するための摺動面を提供することにより外側握持層との接触を避けると同時にその設備による蓋の取り扱いを容易にするように作用することが望ましい。
【００２０】
特に、外向きに突き出ている環状要素２２がスカート部分１４の自由端に設けられ、この環状要素２２は外側握持層１４の外表面より先に突き出る。好ましい形式においては、別の外向きに突き出ている要素が環状突起２４の形式で設けられ、この突起は、これもまた外側握持層１４の外表面より先に出る蓋キャップの頂部の壁部分１６を形成する。このようにして、環状の突起部分２２と２４とが、握持層１４のそれぞれの縁に沿って位置決めされる。
【００２１】
特に、スカート部分１８の自由端は、蓋の貯蔵及び輸送に伴って発生する可能性のある外側握持層１４の損傷を最小にするように構成することが好ましい。特に、比較的柔軟な外側握持層１４は、或る蓋の外側握持層１４が別の蓋の比較的硬い蓋キャップ１２と接触した場合、引っ掻き、摩耗、又はその他の損傷を受ける可能性がある（図６の図式的な図面を参照）。
【００２２】
このため、スカート部分１８の内側自由端は、取り扱い中における別の同様な複合蓋の外側握持層への損傷を避けるに十分な半径Ｒを定める。この半径は図５に示され、約１．２７ｍｍ（０．０５０インチ）から約２．２９ｍｍ（０．０９０インチ）であることが好ましい。本発明のこの実施例は約１．７８ｍｍ（０．０７０インチ）の半径を持つ。別の同様な複合蓋の外側握持層に対する擦過、摩耗、又はその他の損傷が望ましく回避される。
【００２３】
自動化された設備による取り扱いを容易にするために、この蓋の蓋キャップ１２の突起部分を設けることが好ましいが、本発明の別の態様においては、蓋キャップのスカート部分１８から外側握持層１４を通して外向きに伸びる画像要素の形式で１個又はそれ以上の突起部分が設けられる。このため、蓋キャップは、画像要素２６の形式の外向きに突き出ている部分を備える。この部分は、外側握持層１４を通り、そして外側握持層の外表面と同じ高さであることが好ましい。蓋キャップ１２及び外側握持層１４の色彩は対比して適切に目立つように選ばれることが好ましく、これにより画像要素２６が見た目に美しいだけでなく、消費者に対して蓋の操作を容易するための外側握持層の存在を知らせるように
作用することが望ましい。
【００２４】
図４は、この複合蓋の製造を容易にする蓋キャップ１２の特徴を示す。特に、蓋キャップ１２の外部は二つ割り式の金型により効率的に形成でき、この場合、金型構成要素は蓋により定められＰＬで示された金型分割線に沿って互いに組み合う。画像要素２６は、金型分割線と直交して延びる側面を定め、蓋の効率的な製造を容易にすることが好ましい。製造は、直径方向で向かい合いにされた第１及び第２のグループとして画像要素２６を設けることにより更に容易にされる。この場合、画像要素の各グループは、実質的に、図示実施例においてＱ１及びＱ２で示された蓋のそれぞれの四分円（すなわち９０゜セグメント）内に置かれる。観察されるであろうように、四分円Ｑ１、Ｑ２の各は蓋により定められる分割線ＰＬに対して直角であり、これにより製造は更に容易にされる。
【００２５】
図示のように、画像要素２６は、各に開口した形状、即ち画像要素のない領域が設けられることが好ましい。この領域がなければ、外側握持層１４を形成するプラスチック材料の流れが画像要素で閉鎖される（図示実施例における文字Ｒ及びＰの開口形状に注意）。この配列により外輪握持層は、画像要素２６の各の側面のすべてと接触する。
【００２６】
以上から、本発明の新規な概念の精神及び範囲から離れることなく多くの変更及び変化をなし得ることが観察されるであろう。ここに図解された特別な実施例に関連した制限は、これを意図せず或いは推論すべきでないことを理解すべきである。本開示は特許請求項によりカバーされ、すべてのかかる変更は特許請求の範囲内にある。
【図１】
2010502529.tif 000003
【図２】
2010502529.tif 000004
【図３】
2010502529.tif 000005
【図４】
2010502529.tif 000006
【図５】
2010502529.tif 000007
【図６】
2010502529.tif 000008
【国際調査報告】
2010502529.tif 000009